(57)【要約】  内視鏡用洗浄具は、内視鏡における挿入部の先端側に設けられ使用時には筒状のカバーによって被覆される先端構成部に対し、カバーを先端構成部から取り外した状態において着脱自在である洗浄キャップと、洗浄キャップに設けられ、先端構成部のカバーによって少なくとも一部分が覆われた外周面に設けられた先端構成部側係合部に係合するキャップ側係合部と、を具備する。
2019150632.tif 000002
【特許請求の範囲】
【請求項１】
挿入器具における挿入部の先端側に設けられ該挿入器具の使用時には筒状のカバーによって被覆される先端構成部に対し、前記カバーを該先端構成部から取り外した状態において着脱自在である洗浄キャップと、
前記洗浄キャップに設けられ、前記先端構成部の前記カバーによって少なくとも一部分が覆われた外周面に設けられた先端構成部側係合部に係合するキャップ側係合部と、
を具備することを特徴とする挿入器具用洗浄具。
【請求項２】
前記キャップ側係合部は、前記カバーに設けられ該カバーが前記先端構成部に装着される際に前記先端構成部側係合部に係合するカバー側係合部と同形状である、請求項１に記載の挿入器具用洗浄具。
【請求項３】
前記先端構成部側係合部の形状と、該先端構成部側係合部に係合する前記カバー側係合部の形状及び前記キャップ側係合部の形状は、同一の前記カバーもしくは同一の前記キャップを組みつけることを想定しない前記内視鏡における機種別でその形状が異なる、請求項１に記載の挿入器具用洗浄具。
【請求項４】
前記洗浄キャップは、前記先端構成部に対して装着した際に形成される筒状部の底面側に、キャップ底部係合部を具備する、請求項１に記載の挿入器具用洗浄具。
【請求項５】
前記キャップ底部係合部は、前記先端構成部の先端側に設けられた係合部に係合する、請求項４に記載の挿入器具用洗浄具。
【請求項６】
前記キャップ底部係合部は、前記先端構成部の先端側に設けられた係合部と係合することで、軸周りの回転位置を規制する、請求項４に記載の挿入器具用洗浄具。
【請求項７】
前記キャップ側係合部は、前記先端構成部の基端側に設けられた前記先端構成部側係合部に係合する、請求項１に記載の挿入器具用洗浄具。
【請求項８】
前記キャップ側係合部は、前記先端構成部側係合部に係合することで、前記洗浄キャップが前記先端構成部の長手軸方向に移動して該先端構成部から脱落することを防止する、請求項７に記載の挿入器具用洗浄具。
【発明の詳細な説明】
【技術分野】
【０００１】
本発明は、挿入器具の挿入部の先端部に設けられた先端構成部を洗浄するための挿入器具用洗浄具に関する。
【背景技術】
【０００２】
挿入器具の一つに医療用の内視鏡がある。内視鏡は挿入部を有し、その挿入部の先端側に先端構成部を有している。内視鏡には照明レンズ及び対物レンズを先端構成部の挿入部長手軸に略直交する先端面に配列した直視型内視鏡、あるいは、先端構成部の挿入部長手軸に略平行な側面に配列した側視型内視鏡がある。【０００３】
側視型内視鏡は、所謂、十二指腸用内視鏡等であって、先端構成部には回動自在な起上装置が設けられている。起上装置を備えた先端構成部は、電気絶縁性の先端カバーによって被覆される。先端カバーは、先端構成部からの脱落を防止するため接着剤等により該先端構成部に固定されている。【０００４】
起上装置は、一般的に、先端構成部に回動自在に配設される起上台と、操作部に設けられた起上台操作レバーと、起上台操作レバーの操作に伴って移動して起上台を揺動させる起上台操作ワイヤと、で主に構成されている。【０００５】
側視型内視鏡の挿入部には処置具が挿通される処置具チャンネルが設けられている。処置具は、処置具チャンネル内に挿通された後、先端構成部に設けられた先端開口から起上台上を通過して目的部位近傍に導出される。導出された処置具の先端部の位置は、ユーザーによる起上台操作レバーの操作によって起上台を揺動させることによって変化可能である。  
処置具チャンネル内に挿通される処置具としては、造影チューブ、バスケットカテーテル、バルーンカテーテル、電気メス等がある。  
内視鏡は、使用後、洗浄、消毒される。【０００６】
日本国特開２０１５−１８１９１４号公報には処置具起上台が回動自在に配置された内視鏡先端構成部の収容室内の目的部位に向けて洗浄液等を確実に供給して、速やかに洗浄消毒作業を行うことを可能にする内視鏡洗浄アタッチメントが開示されている。【０００７】
日本国特許４８５５８２４号公報には挿入部を構成する軟性の部材を傷つけることなく、内視鏡用先端カバーを引き裂いて破壊して先端構成部から内視鏡用先端カバーを取り外すことができるとともに、使用中の脱落を防止することができる内視鏡用先端カバーが開示されている。【０００８】
側視型内視鏡の挿入部を洗浄する際，先端カバーを取り外して先端構成部を露出させることによって洗浄を容易に行える。  
しかしながら、側視型内視鏡の挿入部を洗浄する場合、日本国特開２０１５−１８１９１４号公報と日本国特許４８５５８２４号公報とでは洗浄方法が異なる。すなわち、日本国特開２０１５−１８１９１４号公報では、先端カバーが取り付けられている先端構成部に内視鏡洗浄アタッチメントを取り付けて洗浄を行う。これに対して、日本国特許４８５５８２４号公報では先端カバーを取り外して先端構成部を露出させた後に洗浄を行う。したがって、側視型内視鏡の洗浄を担当する作業者は、作業前に洗浄方法を確認した上で洗浄作業を行っていた。【０００９】
本発明は上記事情に鑑みてなされたものであり、カバーが取り付けられている先端構成部に装着される不具合を解消しつつ、カバーが取り外された先端構成部への着脱が容易で確実な洗浄が可能な挿入器具用洗浄具を提供することを目的にしている。
【発明の開示】
【課題を解決するための手段】
【００１０】
本発明の一態様の挿入器具用洗浄具は、挿入器具における挿入部の先端側に設けられ該挿入器具の使用時には筒状のカバーによって被覆される先端構成部に対し、前記カバーを該先端構成部から取り外した状態において着脱自在である洗浄キャップと、前記洗浄キャップに設けられ、前記先端構成部の前記カバーによって少なくとも一部分が覆われた外周面に設けられた先端構成部側係合部に係合するキャップ側係合部と、を具備している。
【図面の簡単な説明】
【００１１】
【図１】側視型の内視鏡と内視鏡用洗浄具とを有する内視鏡システムを説明する図
【図２Ａ】内視鏡の挿入部の先端側に位置する先端構成部に先端カバーが被覆された先端部を説明する図
【図２Ｂ】先端カバーと露出状態の先端構成部とを説明する図
【図２Ｃ】図２ＢのＹ２Ｃ−Ｙ２Ｃ線断面図
【図２Ｄ】図２ＣのＹ２Ｄ−Ｙ２Ｄ線断面図
【図２Ｅ】図２ＢのＹ２Ｅ−Ｙ２Ｅ線断面図
【図２Ｆ】カバーのカバー側係合部が先端構成部の本体係合部に係合した状態を説明する図
【図３Ａ】洗浄キャップを説明する斜視図
【図３Ｂ】洗浄キャップを説明する図であって、分割面側を見た図
【図３Ｃ】図３ＡのＹ３Ｃ−Ｙ３Ｃ線断面図
【図３Ｄ】キャップ部の分割面同士を合わせた状態を説明する図
【図３Ｅ】図３ＤのＹ３Ｅ−Ｙ３Ｅ線断面図であって、キャップ側係合部を説明する図
【図４Ａ】挿入部の先端側に露出された先端構成部と先端キャップとを説明する図
【図４Ｂ】先端構成部を先端キャップの第１キャップ部に配置した状態を説明する図
【図４Ｃ】先端キャップを先端構成部に装着した状態を説明する図
【図４Ｄ】装着状態における先端キャップと先端構成部との係合状態を説明する図
【発明を実施するための最良の形態】
【００１２】
以下、図面を参照して本発明の実施の形態を説明する。  
なお、以下の説明に用いる各図において、各構成要素を図面上で認識可能な程度の大きさとするため、構成要素毎に縮尺を異ならせてあるものもある。また、本発明は、これらの図に記載された構成要素の数量、構成要素の形状、構成要素の大きさの比率、及び各構成要素の相対的な位置関係のみに限定されるものではない。【００１３】
本実施の形態において図１に示す挿入器具は、側視型内視鏡（以下、内視鏡と略記する）１である。符号３０は先端カバー（以下、カバーと略記する）である。符号６０は挿入器具用洗浄具である。本実施形態における挿入器具用洗浄具６０は、内視鏡用洗浄具である。  
したがって、図１の符号１００は内視鏡システムであり、内視鏡１と内視鏡用洗浄具６０とを備えている。【００１４】
図１に示す内視鏡１は、挿入部２と、操作部３と、ユニバーサルコード４と、を備える。挿入部２は、先端側から順に先端部５と、湾曲部６と、可撓管部７と、を連設している。湾曲部６は、例えば上下左右の４方向に湾曲するように構成されている。挿入部２は、被検体内に挿入される。【００１５】
操作部３は、挿入部２の基端側に設けられている。ユニバーサルコード４は、操作部３の側部から延出している。操作部３には、湾曲操作装置１１と、送気送水釦１２と、吸引釦１３と、起上台操作レバー１４と、各種操作スイッチ１５と、が設けられている。  
各種操作スイッチ１５は、フリーズ信号を発生させるフリーズスイッチ、写真撮影を行う際のレリーズ信号を発生させるレリーズスイッチ、観察モードの切替指示を行う観察モード切替スイッチ等である。【００１６】
符号１６は処置具挿入口であり、処置具（不図示）が挿入される。処置具挿入口１６には処置具チャンネルチューブ１７の一端側が接続されている。処置具チャンネルチューブ１７の他端側は、挿入部２の先端部５を構成する後述する先端構成部（図２Ａ等の符号２０参照）に接続される。【００１７】
操作部３に設けられた湾曲操作装置１１の上下湾曲ノブ１１ａが回動操作されると、湾曲部６が上方向又は下方向に湾曲する。一方、左右湾曲ノブ１１ｂが回動操作されると、湾曲部６が左方向又は右方向に湾曲する。【００１８】
図１に示した先端部５は、図２Ａに示すように内視鏡使用時において先端構成部２０にカバー３０を被覆して構成される。先端構成部２０は、硬質部材で形成されている。カバー３０は筒状で予め定めた弾発性を有している。また、カバー３０は、電気絶縁性を有する例えば樹脂製である。【００１９】
図２Ａ−図２Ｆを参照して先端構成部２０及びカバー３０の構成及び２つの部材の関係を説明する。  
図２Ｂに示すように先端構成部２０は、先端部本体２１と、光学用凸部２２と、起上台用凸部２３と、を有している。先端部本体２１は、先端構成部２０の基端部である湾曲部６側を構成する。先端部本体２１には処置具チャンネル２１ｋの一方の開口であるチャンネル開口２１ａと本体係合部２１ｂとが設けられている。【００２０】
本体係合部２１ｂは、先端構成部側の係合部である。本体係合部２１ｂは、先端部本体２１の外周面の予め定めた位置に設けられている。チャンネル開口２１ａは、先端部本体２１の本体先端面２１ｈに設けられている。本体先端面２１ｈは、挿入部軸ａ２に平行な先端構成部２０の構成部長手軸ａ２０に対して直交する平面である。図２Ｂにおいて構成部長手軸ａ２０は、チャンネル開口２１ａの中心点（不図示）を通過している。【００２１】
光学用凸部２２及び起上台用凸部２３は、本体先端面２１ｈから構成部長手軸ａ２０に沿って先端方向に突出している。光学用凸部２２と起上台用凸部２３とは並設している。そして、光学用凸部２２と起上台用凸部２３との間には予め定めた幅の溝を有している。  溝は、先端構成部２０に設けられた起上台収容空間２４である。起上台収容空間２４内には起上台４０が回動自在に配設される。本実施形態において、起上台収容空間２４の先端側は、先端構成部２０の先端側に設けられた先端側係合部２０ａとしての機能を有する。【００２２】
光学用凸部２２には本体先端面２１ｈに直交する上平面２５が形成されている。上平面２５の予め定めた位置には観察レンズ４１および照明レンズ４２が設けられている。符号４３は、洗浄ノズルである。【００２３】
図２Ｂ、図２Ｃに示すように本体係合部２１ｂは、凹部２１ｃと凸部２１ｄとを備えている。凹部２１ｃは溝状であって、先端部本体２１の円弧状の上側外周面２１ｅに対して予め定めた量凹んでいる。凸部２１ｄは、凹部２１ｃの平面である底面２１ｆに対して予め定めた量突出している。この凹部２１ｃは備えていなくても良い。【００２４】
凹部２１ｃ及び凸部２１ｄは、先端部本体２１の予め定めた位置に設けられている。凸部２１ｄは、起上台収容空間２４側に位置している。【００２５】
図２Ｃ、図２Ｄに示すように凸部２１ｄの一面である上面２１ｇは、外周面２１ｅの接線と平行に形成されている。そして、この凸部２１ｄの底面２１ｆは、外周面２１ｅと一致するよう形成されている。【００２６】
なお、本体先端面２１ｈは、先端部本体２１の先端面であるとともに、起上台収容空間２４となり得る溝の底面である。チャンネル開口２１ａは、先端部本体２１に設けられた処置具チャンネル２１ｋの一方の開口である。【００２７】
処置具チャンネル２１ｋの他方の開口には上述した処置具チャンネルチューブ１７の他端側が接続される。したがって、処置具挿入口１６から挿入された処置具は、処置具チャンネルチューブ１７内、処置具チャンネル２１ｋ内を通過してチャンネル開口２１ａから起上台収容空間２４に導出される。【００２８】
次に、カバー３０を説明する。  
カバー３０は上述したように筒状であって、先端構成部２０を被覆する。図２Ｂに示すようにカバー３０は、予め定めた位置である例えば上面にカバー３０の内部と外部とを通じる１つの開口３１を備えている。開口３１は、光学用開口部３２と、起上台用開口部３３と、を有している。【００２９】
光学用開口部３２は、先端構成部２０の上平面２５に設けられた照明レンズ４２及び観察レンズ４１を露呈させる。起上台用開口部３３は、起上台収容空間２４を露呈させる。光学用開口部３２の一部と起上台用開口部３３の一部とが繋がれて１つの開口３１として形作られている。符号３４はカバー側係合部である。【００３０】
図２Ｅに示すようにカバー側係合部３４は、カバー３０の筒状の内側面３０ａから予め定めた量突出した凸部である。開口３１を形作る開口基端面３１ｒよりもカバー基端３０ｅ側に離間した位置に設けられている。具体的に、カバー側係合部３４は、開口３１の開口基端側面３１ｒから予め定めた距離離間した位置にカバー当接面３４ａを備えている。カバー側係合部３４のカバー軸方向の長さＬは、予め定めた長さに設定されている。【００３１】
ここで、カバー３０を先端構成部２０に被覆した状態を説明する。  
カバー３０を先端構成部２０に被覆する。その際、カバー３０を弾性変形させて図２Ｆに示すようにカバー側係合部３４を先端構成部２０の本体係合部２１ｂの凹部２１ｃ内に配置させる。【００３２】
この配置状態において、カバー３０が挿入部長手軸ａ２の先端側に移動された際、凹部２１ｃ内に配設されたカバー側係合部３４のカバー当接面３４ａが凸部２１ｄの基端面２１ｄｒに当接する。この結果、カバー３０の挿入部長手軸ａ２の先端側への移動が阻止される。したがって、カバー３０が先端構成部２０から脱落することが防止される。【００３３】
この構造は、カバー側係合部３４を設けず、カバー当接面３４ａの代わりに開口基端面３１ｒが凸部２１ｄの基端面２１ｄｒに当接するようにしても同様の作用・効果を奏することができる。この場合、凸部２１ｄは開口基端面３１ｒよりも前方側に露呈することになる。【００３４】
また、凸部２１ｄの上面２１ｇを図２Ｄで示したように、外周面２１ｅの接線と平行になるよう形成することで、凸部２１ｄの両端における先端カバー３０の引っ掛かりが強くなるようにしている。これにより先端カバー３０が挿入部長手軸ａ２の先端側へ移動して先端構成部２０から脱落することをより確実に防止している。【００３５】
図３Ａ−図３Ｅを参照して内視鏡用洗浄具６０の構成及び内視鏡用洗浄具６０と先端構成部２０との関係を説明する。  
図１に示すように本実施形態の内視鏡用洗浄具６０は、主に、洗浄キャップ６１と、４本のチューブ体６２と、２つの注入部６３と、を有している。【００３６】
洗浄キャップ６１は、第１キャップ部７０と第２のキャップ部８０とに分割されている。４本のチューブ体６２をそれぞれ第１チューブ６２Ａ、第２チューブ６２Ｂ、第３チューブ６２Ｃ、第４チューブ６２Ｄと記載して区別している。また、２つの注入部６３をそれぞれ第１注入部６３Ａ、第２注入部６３Ｂと記載して区別している。【００３７】
注入部６３Ａ、６３Ｂは、それぞれ１つの接続口６４と２つの供給口６５ａ、６５ｂとを有している。注入部６３Ａ、６３Ｂの接続口６４には例えば洗浄液が充填されたシリンジ（不図示）が接続される。【００３８】
第１注入部６３Ａの第１供給口６５ａ及び第２供給口６５ｂにはそれぞれチューブ６２Ａ、６２Ｂの一方の端部が連結されている。これに対して、第２注入部６３Ｂの第１供給口６５ａ及び第２供給口６５ｂにはそれぞれチューブ６２Ｃ、６２Ｄの一方の端部が連結されている。  
それぞれのチューブ６２Ａ、６２Ｂ、６２Ｃ、６２Ｄの他方の端部は、後述するようにキャップ部７０、８０に接続されている。【００３９】
符号６６は分岐部である。接続口６４が備える注入路６４ａは、分岐部６６において、第１供給口６５ａに向かう第１供給路６６ａと第２供給口６５ｂに向かう第２供給路６６ｂとに分岐される。【００４０】
図３Ａ−図３Ｄに示すように二分割された洗浄キャップ６１の第１キャップ部７０と第２キャップ部８０とはヒンジ構造部９０の軸部９１を中心に回動自在に連結されている。【００４１】
符号７９は係合段部であって第１キャップ部７０に設けられている。符号８９は爪部であって第２キャップ部８０に設けられている。第１キャップ部７０と第２キャップ部８０とは図３Ｂに示す開状態から第１キャップ部７０の第１分割面７０ａと第２キャップ部８０の第２分割面８０ａとを閉状態まで変化する。図３Ｄに示すように閉状態において、爪部８９が係合段部７９に係合されて第１キャップ部７０と第２キャップ部８０とが一体に保持される。【００４２】
図３Ａ、図３Ｂに示すように第１キャップ部７０は主に、先端構成部第１収容凹部（以下、第１凹部と略記する）７１に加えて第１キャップ第１管路７２と、第１キャップ第２管路７３と、キャップ底部係合部７４と、キャップ側係合部７５と、排出用開口７６と、噴出穴７７と、を備えている。一方、第２キャップ部８０は主に、先端構成部第２収容凹部（以下、第２凹部と略記する）８１に加えて第２キャップ第１管路８２と、第２キャップ第２管路８３と、を備えている。【００４３】
第２キャップ第１管路８２は、第２洗浄路６１ｂを備えており、第２チューブ６２Ｂの他方の端部が連結されている。第２キャップ第２管路８３は、第３洗浄路６１ｃを備えており、第３チューブ６２Ｃの他方の端部が連結されている。これに対して、第１キャップ第１管路７２は、第１洗浄路６１ａを備えており、第１チューブ６２Ａの他方の端部が連結されている。第１キャップ第２管路７３は、第４洗浄路６１ｄを備えており、第４チューブ６２Ｄの他方の端部が連結されている。【００４４】
そして、第１注入部６３Ａの注入路６４ａから供給される洗浄液は、分岐部６６で分岐された第１供給路６６ａ、第１チューブ６２Ａ内、第１洗浄路６１ａを通過して第１出射口Ｍ１から出射される。また、洗浄液は、分岐部６６で分岐された第２供給路６６ｂ、第２チューブ６２Ｂ内、第２洗浄路６１ｂを通過して第２出射口Ｍ２から出射されるようになっている。【００４５】
一方、第２注入部６３Ｂの注入路６４ａから供給される洗浄液は、分岐部６６で分岐された第１供給路６６ａ、第３チューブ６２Ｃ内、第３洗浄路６１ｃを通過して第３出射口Ｍ３から出射される。また、洗浄液は、分岐部６６で分岐された第２供給路６６ｂ、第４チューブ６２Ｄ内、第４洗浄路６１ｄを通過して第４出射口Ｍ４から出射されるようになっている。【００４６】
図３Ｃに示すように第１凹部７１及び第２凹部８１は、断面形状が略円弧形状の空間である。図３Ｄに示すように第１キャップ部７０の第１分割面７０ａと第２のキャップ部８０の第２分割面８０ａとを合わせることによって先端構成部２０を収容する筒状の収容空間６１Ｓが構成されるようになっている。【００４７】
符号７１ａは保持突起である。保持突起７１は、第１凹部７１の予め定めた位置に対向して一対設けられている。保持突起７１ａは、先端構成部２０の予め定めた部位を略線接触状態で保持する機能と、カバー３０が装着された先端構成部２０が第１凹部７１内に収容されることを防止する機能とを有している。つまり、一対の保持突起７１ａの内径は、先端構成部２０の外径より予め定めた量大きく、カバー３０の外径より予め定めた量小さく設定してある。【００４８】
図３Ａ、図３Ｂに示すように第２凹部８１の底面中央には第３射出口Ｍ３が設けられている。第３射出口Ｍ３から出射される洗浄液は、第２凹部８１の開口に向かって出されるようになっている。一方、第２キャップ部８０のキャップ端部８０ｃには第２出射口Ｍ２が設けられている。第２出射口Ｍ２から出射される洗浄液は、第２凹部８１を挟んで反対側に位置する第２分割面８０ａの方向に向かって噴出されていく。  
符号８１ａは保持突起である。保持突起８１ａは第２凹部８１の第３射出口Ｍ３を挟むように一対設けられている。保持突起８１ａは、前述した保持突起７１ａと同様の構成と機能を備えている。【００４９】
これに対して、第１凹部７１の内面には第１キャップ基端面７０ｂ側から順に、キャップ底部係合部７４、底面中央に位置する噴出穴７７、排出用開口７６が設けられている。一方、第１キャップ部７０のキャップ端部７０ｃにはキャップ底部係合部７４と第４出射口Ｍ４とが設けられている。【００５０】
キャップ底部係合部７４は、キャップ端部７０ｃの第１キャップ基端面７０ｂに平行な端部内面から第１キャップ基端面７０ｂ側に予め定めた量突出した凸部である。キャップ底部係合部７４は、起上台収容空間２４の先端側に位置する先端側係合部２０ａに係合するように形成されている。【００５１】
第４出射口Ｍ４は、キャップ端部７０ｃの内側側部の第１分割面７０ａ側に設けられている。第４出射口Ｍ４から出射される洗浄液は、第１凹部７１を挟んで反対側に位置する第１分割面７０ａの方向に向かって噴出されていく。【００５２】
図３Ｂ、図３Ｃ、図３Ｅに示すように噴出穴７７には洗浄液を穴開口に導く第１内周面７７ａと、第２内周面７７ｂと、先端部側壁面７７ｃと、基端側壁面７７ｄと、が設けられている。【００５３】
基端側壁面７７ｄ側には、先端構成部２０の本体係合部２１ｂを構成する凸部２１ｄに当接する後述するキャップ当接面（図３Ｅの符号７５ａ参照）が設けられるようになっている。【００５４】
先端部側壁面７７ｃには第１出射口Ｍ１が設けられている。第１内周面７７ａ及び第２内周面７７ｂは略半円形の曲面である。第１内周面７７ａと第２内周面７７ｂとでは出射方向を変化させる目的で一部の曲率がことなっている。【００５５】
第１出射口Ｍ１から出射される洗浄液は、基端側壁面７７ｄに衝突し、噴出穴７７内に一時的に溜まり、その後、穴内の洗浄液が第１内周面７７ａ及び第２内周面７７ｂに沿って穴開口から第１凹部７１の開口に向かって噴出されるようになっている。【００５６】
具体的に、第１内周面７７ａに沿って穴開口から噴出された洗浄液は、先端構成部２０の起上台収容空間２４に向かうようになっている。一方、第２内周面７７ｂに沿って穴開口から噴出された洗浄液は、先端構成部２０の上平面２５に向かうようになっている。【００５７】
排出用開口７６は、出射口Ｍ１、Ｍ４、あるいは、出射口Ｍ２、Ｍ３から収容空間６１Ｓ内に出射された洗浄液を外部に排出するための開口である。【００５８】
図３Ｅに示すようにキャップ側係合部７５は、第１キャップ部７０の第１凹部７１に設けられた予め定めた量突出した凸部である。符号７５ａはキャップ当接面である。キャップ当接面７５ａは、噴出穴７７を形作る基端側壁面７７ｄよりも第１キャップ基端面７０ｂ側に予め定めた距離離間した予め定めた位置に設けられている。【００５９】
キャップ側係合部７５は、破線に示す先端構成部２０の本体係合部２１ｂを構成する凹部２１ｃ内に配置されるように形作られている。キャップ側係合部７５のキャップ当接面７５ａが凸部２１ｄの基端面２１ｄｒに当接することによって、洗浄キャップ６１が先端構成部２０の先端側に移動されて脱落することが防止される。【００６０】
つまり、キャップ側係合部７５とカバー側係合部３４とは先端構成部２０の本体係合部２１ｂの凹部２１ｃ内に配置されるとともに、基端面２１ｄｒに当接するように同形状に形成されている。【００６１】
図４Ａ−図４Ｄを参照して上述のように構成された洗浄キャップ６１と先端構成部２０との関係を説明する。  
使用後の内視鏡１を洗浄する際、作業者は、予め、カバー３０を挿入部２の先端部５を構成する先端構成部２０から取り外しておく。そして、作業者は、露出された先端構成部２０に洗浄キャップ６１を取り付ける。【００６２】
ここで、作業者は、図４Ａに示すように挿入部２の先端側に露出された先端構成部２０の上面側を、洗浄キャップ６１を構成する第１キャップ部７０の第１凹部７１の内面に向けて矢印Ｙ４Ａに示すように該第１凹部７１に近づけていく。【００６３】
その際、作業者は、先端構成部２０の先端側に位置する先端側係合部２０ａ内に第１キャップ部７０のキャップ底部係合部７４を導きつつ、前記図３Ｅ等で示したようにキャップ側係合部７５を本体係合部２１ｂの凹部２１ｃに向けて移動させていく。【００６４】
そして、図４Ｂに示すように先端構成部２０の上面側を、洗浄キャップ６１の第１キャップ部７０の第１凹部７１内に配置する。このとき、第１キャップ部７０のキャップ底部係合部７４が先端側係合部２０ａ内に配置されている。また、図３Ｅで示したようにキャップ側係合部７５が本体係合部２１ｂの凹部２１ｃに配置される。【００６５】
ここで、作業者は、図４Ｂに示すように開状態の第２キャップ部８０を閉状態にしていく。このとき、爪部８９を係合段部７９に係合させる。この結果、図４Ｃに示すように第１キャップ部７０と第２キャップ部８０とが一体に保持されて先端構成部２０への洗浄キャップ６１の装着が完了する。【００６６】
この装着状態において、図４Ｄに示すようにキャップ底部係合部７４が先端側係合部２０ａ内に配置されている。このことによって、洗浄キャップ６１が挿入部長手軸ａ２の軸周りに回動することを規制することができる。また、キャップ側係合部７５が本体係合部２１ｂの凹部２１ｃに配置されている。【００６７】
このことによって、洗浄キャップ６１が挿入部長手軸ａ２の先端方向に移動された場合にキャップ側係合部７５のキャップ当接面７５ａが凸部２１ｄの基端面２１ｄｒに当接して、洗浄キャップ６１が先端構成部２０から脱落することを防止できる。【００６８】
このように、カバー３０が挿入部２の挿入部長手軸ａ２方向に移動してカバー３０が先端構成部２０の先端側から脱落することを防止するために先端構成部２０に本体係合部２１ｂを設け、カバー３０にカバー側係合部３４を設けている。【００６９】
先端構成部２０を洗浄する際には、カバー３０を先端構成部２０から取り外し、カバー３０を取り外して露出された先端構成部２０に例えば４つの洗浄液を出射する出射口を備える先端キャップ６１を装着して先端部構成部２０を洗浄する。【００７０】
先端キャップ６１を第１キャップ部７０と第２キャップ部８０とに分割したことによって、先端キャップ６１の先端構成部２０への取り付けを容易に行うことができる。【００７１】
また、先端キャップ６１の２つに分割されたキャップ部の一方である第１キャップ部７０に、本体係合部２１ｂに係合するカバー３０のカバー側係合部３４と略同様な第１キャップ側係合部となるキャップ側係合部７５を設けている。【００７２】
加えて、２つのキャップ部７０、８０を合わせて先端構成部２０を被覆する筒状の収容空間６１Ｓの底部に当たる筒状底部となる第１キャップ部７０に、第２キャップ側係合部となるキャップ底部係合部７４を設け、このキャップ底部係合部７４を先端側係合部２０として機能する起上台収容空間２４の先端側に係合させている。【００７３】
これらのことによって、カバー３０及び洗浄キャップ６１を先端構成部２０の予め定めた状態に位置決めすることができると共に、カバー３０及び洗浄キャップ６１が挿入部長手軸ａ２に沿って先端方向に移動して先端構成部２０から脱落することを防止することができる。加えて、洗浄キャップ６１が挿入部長手軸ａ２の軸周りに回転することを規制することができる。【００７４】
したがって、出射口Ｍ１、Ｍ２、Ｍ３、Ｍ４から先端構成部２０に洗浄液を噴出させたとき、洗浄液の噴出圧によって先端キャップ６１が移動する不具合を解消して確実に洗浄することができる。【００７５】
なお、内視鏡において、先端構成部において、径寸法、あるいは、長さ寸法等が異なる形式の異なる複数種類の内視鏡を有する場合、位置決めする機能と、先端側に移動して脱落することを防止する機能とを兼用する本体係合部を内視鏡毎に適宜設定する。そして、各内視鏡の形式に合わせてカバー３０のカバー係合３４の位置及び形状と先端キャップ６１のキャップ側係合部７５の位置及び形状を各内視鏡毎に設定する。【００７６】
尚、本発明は、以上述べた実施形態のみに限定されるものではなく、発明の要旨を逸脱しない範囲で種々変形実施可能である。【００７７】
本出願は、２０１８年１月３１日に日本国に出願された特願２０１８−０１５０５４号を優先権主張の基礎として出願するものであり、上記の開示内容は、本願明細書、請求の範囲、図面に引用されたものとする。
【図１】
2019150632.tif 000003
【図２Ａ】
2019150632.tif 000004
【図２Ｂ】
2019150632.tif 000005
【図２Ｃ】
2019150632.tif 000006
【図２Ｄ】
2019150632.tif 000007
【図２Ｅ】
2019150632.tif 000008
【図２Ｆ】
2019150632.tif 000009
【図３Ａ】
2019150632.tif 000010
【図３Ｂ】
2019150632.tif 000011
【図３Ｃ】
2019150632.tif 000012
【図３Ｄ】
2019150632.tif 000013
【図３Ｅ】
2019150632.tif 000014
【図４Ａ】
2019150632.tif 000015
【図４Ｂ】
2019150632.tif 000016
【図４Ｃ】
2019150632.tif 000017
【図４Ｄ】
2019150632.tif 000018
【国際調査報告】
2019150632.tif 000019
2019150632.tif 000020
2019150632.tif 000021